(57)【要約】【課題】組立作業性を向上させることができる防水型電源装置用ケース及び防水型電源装置を提供することを目的とする。【解決手段】防水型電源装置用ケース２は、開口部を形成する筒状の開口端１０ａを有し、電源装置３０を収容する中空の本体ケース１０と、開口部を覆って本体ケース１０に取り付けられ、貫通孔４１を一部に有するケース蓋Ａ４０と、本体ケース１０とケース蓋Ａ４０との間に配置されたパッキンＡ６０と、を備え、パッキンＡ６０は、開口部を塞ぐ閉塞面部６１と、閉塞面部６１の周囲に形成され、開口端１０ａの全周に密着するフランジ部６３と、閉塞面部６１からケース蓋Ａ４０側に突出して形成され、貫通孔４１内に嵌合するとともに、電源装置３０に接続されるコード３１を挿通させるコード挿通孔７３、７３ａを備える挿通部７０と、を有する。【選択図】図１
2015015422.tif 000002
【特許請求の範囲】
【請求項１】
開口部を形成する筒状の開口端を有し、電源装置を収容する中空の本体ケースと、
前記開口部を覆って前記本体ケースに取り付けられ、貫通孔を一部に有するケース蓋と、
前記本体ケースと前記ケース蓋との間に配置されたパッキンと、を備え、
前記パッキンは、
前記開口部を塞ぐ閉塞面部と、
前記閉塞面部の周囲に形成され、前記開口端の全周に密着するフランジ部と、
前記閉塞面部から前記ケース蓋側に突出して形成されて前記貫通孔内に嵌合するとともに、前記電源装置に接続されるコードを挿通させるコード挿通孔を備える挿通部と、を有することを特徴とする防水型電源装置用ケース。
【請求項２】
前記閉塞面部は、前記開口端内に挿入される挿入部を備えることを特徴とする請求項１に記載の防水型電源装置用ケース。
【請求項３】
前記挿入部は、
前記開口端の内壁面に沿って枠状に設けられた挿入壁と、
前記挿入壁で囲まれた部分に設けられた補助壁と、
前記挿入壁で囲まれた部分に設けられ、前記閉塞面部の肉厚を部分的に薄くした肉盗み部と、を有することを特徴とする請求項２に記載の防水型電源装置用ケース。
【請求項４】
前記パッキンは、前記フランジ部の外周側から前記本体ケース側に突出して設けられ、前記開口端の外壁面に接触する引掛部をさらに有することを特徴とする請求項１〜請求項３のいずれか一項に記載の防水型電源装置用ケース。
【請求項５】
前記コード挿通孔の内壁面には凹凸が形成されていることを特徴とする請求項１〜請求項４のいずれか一項に記載の防水型電源装置用ケース。
【請求項６】
前記凹凸は、小内径部と、前記小内径部よりも内径が大きい大内径部と、が前記コード挿通孔の軸方向に交互に設けられることによって形成されていることを特徴とする請求項５に記載の防水型電源装置用ケース。
【請求項７】
開口部を形成する筒状の開口端を有し、電源装置を収容する中空の本体ケースと、
前記開口部を覆って前記本体ケースに取り付けられたケース蓋と、
前記本体ケースと前記ケース蓋との間に配置されたパッキンと、を備え、
前記パッキンは、
前記開口端内に挿入される挿入部を備え前記開口部を塞ぐ閉塞面部と、
前記閉塞面部の周囲に形成され、前記開口端の全周に密着するフランジ部と、
前記フランジ部の外周側から前記本体ケース側に突出して設けられ、前記開口端の外壁面に接触する引掛部と、を有することを特徴とする防水型電源装置用ケース。
【請求項８】
請求項１〜請求項７のいずれか一項に記載の防水型電源装置用ケースと、前記電源装置と、を有することを特徴とする防水型電源装置。
【発明の詳細な説明】
【技術分野】
【０００１】
本発明は、防水型電源装置用ケース及び防水型電源装置に関するものである。
【背景技術】
【０００２】
特許文献１には、防水型ケースと防水型ケースに収容された点灯装置とを有する防水型ケース装置が開示されている。この防水型ケース装置の防水型ケースは、両端が開口された中空のケース本体と、ケース本体の両端に設けられた２つのパッキンと、ケース本体の両端を閉止する２つの閉塞板とを備えている。一方のパッキンには、リード線挿通孔が形成されている。また、一方の閉塞板には、パッキンに形成したリード線挿通孔に対向してリード線引出し孔が形成されている。
【先行技術文献】
【特許文献】
【０００３】
【特許文献１】特許第３７４７５０６号公報
【発明の概要】
【発明が解決しようとする課題】
【０００４】
上記のような防水型ケース装置において、内部に収容される収容部品が大型化されると、それに伴いケース本体が大型化され、ケース本体両端の開口部が拡大されるため、パッキンを大型化する必要がある。パッキンを大型化する場合、パッキンの重量及び材料コストの増加を抑えるため、防水性能に影響を与えない部分の肉厚を薄くしたり、部分的に肉盗み（肉抜き）したりすることが考えられる。しかしながら、一般にパッキンの形成材料はゴム系であるため、薄肉化や肉盗みを行うとパッキンの剛性が低下してしまい、配線の挿通などの組立作業性が低下してしまうという問題点があった。
【０００５】
本発明は、上述のような問題点を解決するためになされたものであり、組立作業性を向上させることができる防水型電源装置用ケース及び防水型電源装置を提供することを目的とする。
【課題を解決するための手段】
【０００６】
本発明に係る防水型電源装置用ケースは、開口部を形成する筒状の開口端を有し、電源装置を収容する中空の本体ケースと、前記開口部を覆って前記本体ケースに取り付けられ、貫通孔を一部に有するケース蓋と、前記本体ケースと前記ケース蓋との間に配置されたパッキンと、を備え、前記パッキンは、前記開口部を塞ぐ閉塞面部と、前記閉塞面部の周囲に形成され、前記開口端の全周に密着するフランジ部と、前記閉塞面部から前記ケース蓋側に突出して形成されて前記貫通孔内に嵌合するとともに、前記電源装置に接続されるコードを挿通させるコード挿通孔を備える挿通部と、を有することを特徴とするものである。
【０００７】
本発明に係る防水型電源装置は、上記本発明の防水型電源装置用ケースと、電源装置と、を有することを特徴とするものである。
【発明の効果】
【０００８】
本発明によれば、パッキンの挿通部をケース蓋の貫通孔内に嵌合させることによって、パッキンとケース蓋とを一体化することができる。したがって、パッキンの剛性をケース蓋によって補強することができ、パッキンの変形を抑制することができるため、パッキンへのコードの挿通などの組立作業性を向上させることができる。
【図面の簡単な説明】
【０００９】
【図１】本発明の実施の形態１に係る防水型電源装置１の構成を示す斜視図である。
【図２】本発明の実施の形態１に係る防水型電源装置１の構成を示す分解斜視図である。
【図３】本発明の実施の形態１に係る防水型電源装置用ケース２の本体ケース１０を長手方向に垂直な平面で切断した構成を示す断面図である。
【図４】本発明の実施の形態１に係る防水型電源装置用ケース２のケース蓋Ａ４０の構成を示す図である。
【図５】本発明の実施の形態１に係る防水型電源装置用ケース２のパッキンＡ６０の構成を示す図である。
【図６】図５（ａ）のＶＩ−ＶＩ線で切断したパッキンＡ６０の構成を示す断面図である。
【図７】本発明の実施の形態１に係る防水型電源装置用ケース２のパッキンＡ６０の構成を示す斜視図である。
【図８】本発明の実施の形態１に係る防水型電源装置用ケース２のケース蓋Ｂ５０の構成を示す図である。
【図９】本発明の実施の形態１に係る防水型電源装置用ケース２のパッキンＢ８０の構成を示す図である。
【図１０】図９（ａ）のＸ−Ｘ線で切断したパッキンＢ８０の構成を示す断面図である。
【図１１】本発明の実施の形態１に係る防水型電源装置用ケース２のパッキンＢ８０の構成を示す斜視図である。
【図１２】本発明の実施の形態１に係る防水型電源装置用ケース２の取付ビス１００の構成を示す図である。
【図１３】本発明の実施の形態１に係る防水型電源装置用ケース２の脚部９０の構成を示す図である。
【図１４】本発明の実施の形態１に係る防水型電源装置用ケース２の脚部９０の構成の変形例を示す図である。
【図１５】本発明の実施の形態１に係る防水型電源装置１における本体ケース１０、パッキンＡ６０及びケース蓋Ａ４０等の組立方法の例を時系列で示す図である。
【発明を実施するための形態】
【００１０】
実施の形態１．
本発明の実施の形態１に係る防水型電源装置用ケース及び防水型電源装置について説明する。図１は、本実施の形態に係る防水型電源装置１の構成を示す斜視図である。図２は、本実施の形態に係る防水型電源装置１の構成を示す分解斜視図である。なお、図１及び図２を含む以下の図面では、各構成部材の寸法の関係や形状等が実際のものとは異なる場合がある。また、以下の説明では、防水型電源装置１の取付け面、すなわち、防水型電源装置１が被取付け面（例えば、天井面等）に取り付けられた際に当該被取付け面と対向する面、が下面（底面）であるものとする。
【００１１】
図１及び図２に示すように、防水型電源装置１は、防水型電源装置用ケース２と、防水型電源装置用ケース２に収容された電源装置３０（電源トランス）と、を有している。防水型電源装置用ケース２は、開口部を形成する筒状の開口端１０ａ、１０ｂを両端に備え、電源装置３０を内部に収容する中空の本体ケース１０と、一方の開口部を覆って本体ケース１０に取り付けられるケース蓋Ａ４０と、他方の開口部を覆って本体ケース１０に取り付けられるケース蓋Ｂ５０と、本体ケース１０とケース蓋Ａ４０との間に設けられるパッキンＡ６０と、本体ケース１０とケース蓋Ｂ５０との間に設けられるパッキンＢ８０と、防水型電源装置１を被取付け部材（例えば、照明器具等）に取り付けるための脚部９０と、を有している。ケース蓋Ａ４０は、パッキンＡ６０を挟んで、４つの取付ビス１００を用いて本体ケース１０の一端に取り付けられている。ケース蓋Ｂ５０は、パッキンＢ８０を挟んで、同様の取付ビスを用いて本体ケース１０の他端に取り付けられている。
【００１２】
電源装置３０は、電子部品及び回路部品等が実装された回路基板３２と、回路基板３２を保持する回路保持部３３と、を有している。本例の回路基板３２が備える電子部品及び回路部品は、ＬＥＤ等の光源を点灯させる点灯回路を構成するものであるが、電子部品及び回路部品が構成する回路は点灯回路に限定されるものではない。回路保持部３３は、板状の金属部材が断面コ字状に曲げられた構成を有している。回路基板３２には複数本のコード３１（図２では図示せず）の一端側が接続されており、各コード３１の他端側は防水型電源装置１の外部に引き出されている。電源装置３０は、本体ケース１０に対してビスナット等を用いて固定されている。
【００１３】
図３は、本実施の形態に係る防水型電源装置用ケース２の本体ケース１０を長手方向に垂直な平面で切断した構成を示す断面図である。本体ケース１０は、例えば、アルミニウム等の金属材料を用いた押出成形により一体的に形成されている。図３に示すように、本体ケース１０は、四角筒状（長方形筒状）の本体部１１を有している。本体部１１の内側には、電源装置３０を収容する収容空間となる中空部１２が形成されている。本体部１１の外壁のうち下面側には、脚部９０が組み込まれる脚部組込部１３が形成されている。本例では、脚部組込部１３の長手方向一端側には１つの脚部９０が組み込まれ、他端側には別の脚部９０が組み込まれる。脚部組込部１３は、本体部１１の底面部と、当該底面部から下方に突出し、互いに向かい合う方向にＬ字状に曲折した一対のＬ字部１６ａ、１６ｂと、により構成されている。本体部１１の底面部とＬ字部１６ａ、１６ｂとで囲まれる空間は、後述する脚部９０の差込部９１とパッキンＡ６０の引掛部６５ｅとを挿入可能な大きさを有している。
【００１４】
本体部１１の外壁のうち上面及び下面には、ケース蓋Ａ４０及びケース蓋Ｂ５０を取り付けるための取付ビス１００が螺合されるビスホール１５ａ〜１５ｄが形成されている。下面側のビスホール１５ａ、１５ｂは、Ｌ字部１６ａ、１６ｂを挟んで両側に設けられている。上面側のビスホール１５ｃ、１５ｄは、下面側のビスホール１５ａ、１５ｂに対向する位置に設けられている。
【００１５】
本体部１１の外壁のうち上面及び左右の側面には、各面から垂直外方向に突出した複数の放熱フィン１４が形成されている。上面側の放熱フィン１４は、ビスホール１５ｃ、１５ｄに挟まれた部分に設けられている。側面側の放熱フィン１４は、各側面において上下の両端部から所定の範囲に形成された平板部１１ａ〜１１ｄを除く部分に設けられている。具体的には、左側面側の放熱フィン１４は、平板部１１ａ、１１ｂに挟まれた部分に設けられており、右側面側の放熱フィン１４は、平板部１１ｃ、１１ｄに挟まれた部分に設けられている。
【００１６】
図４は、本実施の形態に係る防水型電源装置用ケース２のケース蓋Ａ４０の構成を示す図である。ケース蓋Ａ４０は、例えば、アルミニウム等の金属材料を用いて形成された平板状の部材である。図４に示すように、ケース蓋Ａ４０は、本体ケース１０の一方の開口部を覆う略長方形状の平面形状を有している。ケース蓋Ａ４０は、２つの貫通孔４１を有している。この貫通孔４１には、後述するパッキンＡ６０のケース蓋嵌合部７２がそれぞれ嵌合するようになっている。また、ケース蓋Ａ４０には、当該ケース蓋Ａ４０が本体ケース１０に取り付けられる際に取付ビス１００を貫通させる４つの蓋取付孔４２が形成されている。蓋取付孔４２のそれぞれは、本体ケース１０のビスホール１５ａ〜１５ｄと対応する位置に設けられている。
【００１７】
図５は、本実施の形態に係る防水型電源装置用ケース２のパッキンＡ６０の構成を示す図である。図５（ａ）はパッキンＡ６０の一方の表面（本体ケース１０側の表面）の構成を示す正面図であり、図５（ｂ）はパッキンＡ６０の側面の構成を示す側面図であり、図５（ｃ）はパッキンＡ６０の他方の表面（ケース蓋Ａ４０側の表面）の構成を示す背面図である。図６は、図５（ａ）のＶＩ−ＶＩ線で切断したパッキンＡ６０の構成を示す断面図である。図７は、パッキンＡ６０の構成を示す斜視図である。図７（ａ）はパッキンＡ６０を一方の表面側から見た斜視図であり、図７（ｂ）はパッキンＡ６０を他方の表面側から見た斜視図である。なお、図５及び図６では、パッキンＡ６０を底面側（防水型電源装置１の取付け面側）が上となる向きで示している。
【００１８】
パッキンＡ６０は、弾力性を有するゴム系の材料により形成されている。図５〜図７に示すように、パッキンＡ６０は、本体ケース１０の一方の開口部を閉塞する略長方形平板状の閉塞面部６１を有している。閉塞面部６１のケース蓋Ａ４０側の表面は、概ね平坦に形成されている。閉塞面部６１は、本体ケース１０側に突出した挿入部６２を有している。挿入部６２は、本体ケース１０の開口端１０ａ内に挿入されるようになっている。
【００１９】
挿入部６２は、開口端１０ａの内壁面の全周に沿って長方形枠状に設けられた挿入壁６６を有している。挿入壁６６の各外壁面は、開口端１０ａの各内壁面と平行になるように設けられている。挿入壁６６の各外壁面には、各外壁面から外側に突出し、挿入壁６６の突出方向と平行に延伸した断面円弧状の凸部６６ａが形成されている。本例では、挿入壁６６の４つの外壁面にはそれぞれ２つの凸部６６ａが設けられている。挿入部６２が開口端１０ａ内に挿入されると、これらの凸部６６ａは、開口端１０ａの各内壁面と接触（圧接）するようになっている。
【００２０】
挿入壁６６で囲まれた部分には、閉塞面部６１の肉厚を部分的に薄くした肉盗み部６８と、パッキンＡ６０の剛性を補強するリブ状の２つの補助壁６７ａ、６７ｂと、が形成されている。本例では、肉盗み部６８が形成された部分の閉塞面部６１の肉厚は、後述するフランジ部６３の肉厚とほぼ同一である。肉盗み部６８を設けることによって、パッキンＡ６０の重量及び材料コストを削減することができる。
【００２１】
補助壁６７ａ、６７ｂは、長方形枠状の挿入壁６６の対向辺同士の間を連結しており、各補助壁６７ａ、６７ｂは互いに垂直に交差している。また、各補助壁６７ａ、６７ｂは、挿入壁６６の各辺に対して平行又は垂直に延びている。補助壁６７ａ、６７ｂの突出高さは、挿入壁６６の突出高さよりも低くなっている（図６等参照）。
【００２２】
このような挿入部６２が設けられていることによって、パッキンＡ６０の所定の取付位置への取付けを補助することができるとともに、本体ケース１０に対するパッキンＡ６０の上下左右方向へのずれを防ぐことができる。
【００２３】
閉塞面部６１の周囲には、フランジ部６３（鍔部）が枠状に形成されている。フランジ部６３は、閉塞面部６１とほぼ同一平面内に形成されている。フランジ部６３は、本体ケース１０の開口端１０ａに当接するようになっている。フランジ部６３が開口端１０ａに当接することにより、本体ケース１０内部へのパッキンＡ６０の押込みを防ぐことができる。また、フランジ部６３は、本体ケース１０の開口端１０ａとケース蓋Ａ４０との間で全周に亘って押し潰されるようになっている。これにより、フランジ部６３は、開口端１０ａの全周に水密に密着し、所定の防水効果を発揮する。また、フランジ部６３には、パッキンＡ６０が本体ケース１０に取り付けられる際に取付ビス１００を貫通させる４つのパッキン取付孔６４が形成されている。パッキン取付孔６４のそれぞれは、本体ケース１０のビスホール１５ａ〜１５ｄと対応する位置に設けられている。
【００２４】
また、フランジ部６３のさらに外周側には、本体ケース１０側に突出した引掛部６５ａ〜６５ｅが形成されている。引掛部６５ａ〜６５ｅは、本体ケース１０の開口端１０ａに引っ掛けられるようになっている。引掛部６５ａ〜６５ｄは、それぞれ本体部１１の平板部１１ａ〜１１ｄに対応する位置に設けられており、引掛部６５ｅは、本体部１１の底面部（脚部組込部１３の一部を構成する底面部）の左右方向中央に対応する位置に設けられている。すなわち、引掛部６５ａ〜６５ｅは、放熱フィン１４とは干渉しない位置に設けられている。引掛部６５ａ〜６５ｅのそれぞれの内面は、開口端１０ａの外壁面に接触する。これにより、引掛部６５ａ〜６５ｅのそれぞれは、挿入部６２の外壁面と共に、開口端１０ａを挟持するようになっている。引掛部６５ａ〜６５ｅが設けられることにより、本体ケース１０内部へのパッキンＡ６０の押込みを防ぐことができる。なお、放熱フィン１４及び引掛部６５ａ〜６５ｅの数量及び配置は、防水型電源装置１の放熱性又は組立性等を考慮して適宜変更してもよい。
【００２５】
閉塞面部６１のうち、挿入壁６６及び補助壁６７ａ、６７ｂで囲まれた部分には、ケース蓋Ａ４０側に突出するケース蓋嵌合部７２と、本体ケース１０側に突出するコード保持部７１と、を備えた挿通部７０が設けられている。本例では、２つの挿通部７０が設けられている。一方の挿通部７０は、補助壁６７ａの上方（図５（ａ）では補助壁６７ａの下方）であって補助壁６７ｂの左方（図５（ａ）では補助壁６７ｂの右方）に設けられている。他方の挿通部７０は、補助壁６７ａの上方であって補助壁６７ｂの右方（図５（ａ）では補助壁６７ｂの左方）に設けられている。
【００２６】
コード保持部７１は、閉塞面部６１の本体ケース１０側表面（肉盗み部６８形成面）から本体ケース１０側に突出して形成されている。コード保持部７１は、略円柱状の形状を有している。本例では、コード保持部７１の突出高さは、挿入壁６６の突出高さよりも高くなっている（図６等参照）。コード保持部７１は、コード３１を挿通させるコード挿通孔７３を複数有している。各コード挿通孔７３の軸方向は、コード保持部７１自体の軸方向と平行である。各コード挿通孔７３は、内径が相対的に小さい小内径部と、小内径部と同軸で小内径部よりも内径が大きい大内径部と、が軸方向に交互に設けられた構造を有している。少なくとも小内径部の内径は、挿通されるコード３１の外径よりも小さくなっている。大内径部の内径は、例えば、挿通されるコード３１の外径とほぼ同一かそれより大きくなっている。小内径部と大内径部とが交互に形成されることにより、コード挿通孔７３の内壁面には凹凸が形成される。この凹凸によってコード挿通孔７３とコード３１との密着性が高まるため、防水型電源装置用ケース２の防水性を向上させることができるとともに、コード３１の引抜き又は押込みを抑制することができる。また、本例では、コード挿通孔７３のうちの特定のコード挿通孔７３ａの長さは、他のコード挿通孔７３よりも長くなっている。このため、特定のコード挿通孔７３ａの周囲には、コード保持部７１の突出先端面からさらに本体ケース１０側に突出した突出部７４が形成されている。
【００２７】
ケース蓋嵌合部７２は、閉塞面部６１のケース蓋Ａ４０側表面からケース蓋Ａ４０側に突出して形成されている。ケース蓋嵌合部７２は、ケース蓋Ａ４０の貫通孔４１内に嵌合して外部に露出するようになっている。ケース蓋嵌合部７２は、略円筒状の形状を有する筒状部７２ａと、筒状部７２ａの軸方向先端側に形成された押え部７２ｂとを備えており、全体として筒状の形状を有している。筒状部７２ａの外径は、例えば、ケース蓋Ａ４０の貫通孔４１の内径とほぼ同一又はそれより小さくなっている。筒状部７２ａの軸方向の長さは、ケース蓋Ａ４０の厚さとほぼ同一である。押え部７２ｂは、先端側から筒状部７２ａ側（閉塞面部６１側）に向かって徐々に外径が大きくなるような円環状の傾斜面７２ｃ（円錐面）を有している。押え部７２ｂの先端側の外径は、ケース蓋Ａ４０の貫通孔４１の内径よりも小さくなっており、押え部７２ｂの筒状部７２ａ側の外径は、貫通孔４１の内径よりも大きくなっている。なお、ケース蓋嵌合部７２の内径は、筒状部７２ａ及び押え部７２ｂの全体に亘ってほぼ同一である。
【００２８】
本例のパッキンＡ６０では、入力用及び出力用の挿通部７０が１つずつ（計２つ）設けられており、一方の挿通部７０は３つのコード挿通孔７３を有し、他方の挿通部７０は４つのコード挿通孔７３を有している。しかしながら、本発明はこれには限られない。挿通部７０の個数、及び各挿通部７０が有するコード挿通孔７３の個数は、本体ケース１０内に収容される電源装置３０に応じて、性能に影響がない範囲で変更してもよい。
【００２９】
図８は、本実施の形態に係る防水型電源装置用ケース２のケース蓋Ｂ５０の構成を示す図である。図８に示すように、ケース蓋Ｂ５０は、貫通孔４１が設けられていないことを除き、図４に示したケース蓋Ａ４０と同様の構成を有している。
【００３０】
図９は、本実施の形態に係る防水型電源装置用ケース２のパッキンＢ８０の構成を示す図である。図９（ａ）はパッキンＢ８０の一方の表面（本体ケース１０側の表面）の構成を示す正面図であり、図９（ｂ）はパッキンＢ８０の側面の構成を示す側面図であり、図９（ｃ）はパッキンＢ８０の他方の表面（ケース蓋Ｂ５０側の表面）の構成を示す背面図である。図１０は、図９（ａ）のＸ−Ｘ線で切断したパッキンＢ８０の構成を示す断面図である。図１１は、パッキンＢ８０の構成を示す斜視図である。図１１（ａ）はパッキンＢ８０を一方の表面側から見た斜視図であり、図１１（ｂ）はパッキンＢ８０を他方の表面側から見た斜視図である。なお、図９及び図１０では、パッキンＢ８０を底面側（防水型電源装置１の取付け面側）が上となる向きで示している。
【００３１】
図９〜図１１に示すように、パッキンＢ８０は、挿通部７０が設けられていないことを除き、図５〜図７に示したパッキンＡ６０と同様の構成を有している。
【００３２】
図１２は、本実施の形態に係る防水型電源装置用ケース２の取付ビス１００の構成を示す図である。図１２に示すように、取付ビス１００は、ねじ加工が施された先端側のねじ部１０１と、ねじ頭部１０２との間に、ねじ加工されていないスペーサ部１０３を有している。このスペーサ部１０３の径は、ねじ部１０１の径よりも太くなっている。スペーサ部１０３の軸方向の長さは、パッキンＡ６０（又はパッキンＢ８０）のフランジ部６３が所定の防水効果を発揮できるように押し潰された厚さと、ケース蓋Ａ４０（又はケース蓋Ｂ５０）の厚さとの和にほぼ等しくなっている。
【００３３】
図１３は、本実施の形態に係る防水型電源装置用ケース２の脚部９０の構成を示す図である。図１３（ａ）は脚部９０の正面図であり、図１３（ｂ）は脚部９０の側面図である。図１３に示すように、脚部９０は、板状の金属部材をＺ字状に曲折させたものである。脚部９０は、本体ケース１０の一端側の脚部組込部１３と、他端側の脚部組込部１３とにそれぞれ取り付けられる。脚部９０は、脚部組込部１３に組み込まれる差込部９１と、被取付け面に取り付けられる取付部９２と、差込部９１及び取付部９２の間に段差を形成する保持部９３と、を有している。
【００３４】
差込部９１には、脚部組込部１３に差し込まれた後にビスナット等を用いて固定するための取付孔９４が形成されている。取付部９２には、被取付け面に固定するための長円形状の取付孔９５が形成されている。保持部９３は、防水型電源装置１を被取付け面に取り付けた際に、防水型電源装置１と被取付け面との間に空間を形成するためのものである。保持部９３の高さは、防水型電源装置１と被取付け面との間に所望の高さの空間が形成されるように設定される。なお、取付部９２及び保持部９３の機能をケース蓋Ａ４０及びケース蓋Ｂ５０に持たせることによって、脚部９０を廃止することも可能である。
【００３５】
図１４は、脚部９０の構成の変形例を示す図である。図１４（ａ）は脚部９０の正面図であり、図１４（ｂ）は脚部９０の側面図である。図１４に示すように、本変形例の脚部９０の取付部９２には、長円形状の取付孔９５に代えて、横方向に開口したフック形状を有する取付フック９６が形成されている。
【００３６】
次に、本実施の形態に係る防水型電源装置１の組立方法について説明する。図１５は、本実施の形態に係る防水型電源装置１における本体ケース１０、パッキンＡ６０及びケース蓋Ａ４０等の組立方法の例を時系列で示す図である。まず、図１５（ａ）、（ｂ）に示すように、パッキンＡ６０のケース蓋嵌合部７２をケース蓋Ａ４０の貫通孔４１内に嵌合させる。これにより、パッキンＡ６０とケース蓋Ａ４０とが一体化し、パッキンＡ６０の剛性がケース蓋Ａ４０により補強される。
【００３７】
ケース蓋嵌合部７２を貫通孔４１内に嵌合する際には、ケース蓋嵌合部７２の傾斜面７２ｃを貫通孔４１の開口端１０ａに当接させる。これにより、貫通孔４１がケース蓋嵌合部７２と同軸となるように案内され、ケース蓋嵌合部７２と貫通孔４１とが相対的に位置合わせされる。その状態でケース蓋嵌合部７２を貫通孔４１に対して圧入することにより、貫通孔４１の内径よりも大きい外径を有する筒状の押え部７２ｂは、内周側に弾性変形して貫通孔４１を通過する。押え部７２ｂが貫通孔４１を通過した後には、押え部７２ｂが元の形状に復元するとともに、貫通孔４１の内径とほぼ同一又はそれより小さい外径を有する筒状部７２ａが貫通孔４１に嵌り込む。このようにして、ケース蓋嵌合部７２は、貫通孔４１内に容易に嵌合させることができる。
【００３８】
次に、本体ケース１０内に電源装置３０を収容し、図１５（ｃ）に示すように、電源装置３０に接続された複数のコード３１をそれぞれコード挿通孔７３、７３ａ（図１５（ｃ）ではコード挿通孔７３ａのみを示している）に挿通し、外部に引き出す。このとき、パッキンＡ６０の剛性はケース蓋Ａ４０と一体化することにより補強されているため、コード挿通孔７３、７３ａにコード３１を挿通する際に生じる応力によってパッキンＡ６０が変形してしまうことを防ぐことができる。また、コード３１が挿通されることによってコード挿通孔７３、７３ａは拡張され、これに伴い挿通部７０の外径（例えば、筒状部７２ａの外径）が拡張される。これにより、パッキンＡ６０とケース蓋Ａ４０との嵌合がさらに強固となる。
【００３９】
また、コード挿通孔７３にコード３１を挿通する工程と一連の工程において、ケース蓋Ａ４０と一体化したパッキンＡ６０を本体ケース１０の開口端１０ａに取り付ける。これにより、パッキンＡ６０の挿入部６２（挿入壁６６）が開口端１０ａ内に挿入され、パッキンＡ６０のフランジ部６３が開口端１０ａに当接し、パッキンＡ６０の引掛部６５ａ、６５ｂ、６５ｃ、６５ｄ、６５ｅが開口端１０ａの外壁面側に引っ掛けられる。言い換えれば、本体ケース１０の開口端１０ａは、パッキンＡ６０の挿入部６２と引掛部６５ａ、６５ｂ、６５ｃ、６５ｄ、６５ｅとの間の隙間に嵌め込まれ、フランジ部６３に当接する。このとき、パッキンＡ６０の剛性はケース蓋Ａ４０と一体化することにより補強されているため、これらの組立作業性が向上する。
【００４０】
その後、ケース蓋Ａ４０の蓋取付孔４２及びパッキンＡ６０のパッキン取付孔６４に取付ビス１００を貫通させ、当該取付ビス１００を本体ケース１０のビスホール１５ａ〜１５ｄに螺合させる。これにより、本体ケース１０の一端側の開口部には、パッキンＡ６０を挟んでケース蓋Ａ４０が取り付けられる。パッキンＡ６０のフランジ部６３は、所定の防水効果を発揮できるように、本体ケース１０とケース蓋Ａ４０との間で全周に亘って押し潰される。
【００４１】
一方、コード３１が外部に引き出されない本体ケース１０の他端側の開口部には、貫通孔を有しないパッキンＢ８０及びケース蓋Ｂ５０が取り付けられる。パッキンＢ８０及びケース蓋Ｂ５０を取り付ける工程は、コード３１の挿通が行われないことを除き、パッキンＡ６０及びケース蓋Ａ４０を取り付ける工程と同様である。
【００４２】
以上説明したように、本実施の形態に係る防水型電源装置用ケース２は、開口部を形成する筒状の開口端１０ａを有し、電源装置３０を収容する中空の本体ケース１０と、開口部を覆って本体ケース１０に取り付けられ、貫通孔４１を一部に有するケース蓋Ａ４０と、本体ケース１０とケース蓋Ａ４０との間に配置されたパッキンＡ６０と、を備え、パッキンＡ６０は、開口部を塞ぐ閉塞面部６１と、閉塞面部６１の周囲に形成され、開口端１０ａの全周に密着するフランジ部６３と、閉塞面部６１からケース蓋Ａ４０側に突出して形成されて貫通孔４１内に嵌合するとともに、電源装置３０に接続されるコード３１を挿通させるコード挿通孔７３、７３ａを備える挿通部７０と、を有することを特徴とするものである。
【００４３】
また、本実施の形態に係る防水型電源装置１は、防水型電源装置用ケース２と、防水型電源装置用ケース２に収容された電源装置３０と、を有することを特徴とするものである。
【００４４】
この構成によれば、パッキンＡ６０の挿通部７０をケース蓋Ａ４０の貫通孔４１内に嵌合させることによって、パッキンＡ６０とケース蓋Ａ４０とを一体化することができる。したがって、パッキンＡ６０の剛性をケース蓋Ａ４０によって補強することができ、パッキンＡ６０の変形を抑制することができるため、パッキンＡ６０へのコード３１の挿通やパッキンＡ６０の取付けなどの組立作業性を向上させることができる。これにより、防水型電源装置１の組立工程を簡略化することができる。また、パッキンＡ６０の剛性をケース蓋Ａ４０によって補強することができるため、パッキンＡ６０の剛性確保のために必要以上に厚く形成する必要がなくなる。したがって、パッキンＡ６０の重量及び材料コストを削減することができるため、防水型電源装置１及び防水型電源装置用ケース２の軽量化及び低コスト化を実現することができる。
【００４５】
また、本実施の形態に係る防水型電源装置用ケース２は、閉塞面部６１は、開口端１０ａ内に挿入される挿入部６２を備えることを特徴とするものである。この構成によれば、パッキンＡ６０の所定の取付位置への取付けを補助することができるため、パッキンＡ６０の取付けなどの組立作業性を向上させることができる。また、この構成によれば、本体ケース１０に対するパッキンＡ６０の上下左右方向へのずれを防ぐことができるため、防水型電源装置用ケース２の防水性を向上させることができる。
【００４６】
また、本実施の形態に係る防水型電源装置用ケース２は、挿入部６２は、開口端１０ａの内壁面に沿って枠状に設けられた挿入壁６６と、挿入壁６６で囲まれた部分に設けられた補助壁６７ａ、６７ｂと、挿入壁６６で囲まれた部分に設けられ、閉塞面部６１の肉厚を部分的に薄くした肉盗み部６８と、を有することを特徴とするものである。この構成によれば、パッキンＡ６０の剛性を確保しつつ、パッキンＡ６０の重量及び材料コストを削減することができる。
【００４７】
また、本実施の形態に係る防水型電源装置用ケース２は、パッキンＡ６０は、フランジ部６３の外周側から本体ケース１０側に突出して設けられ、開口端１０ａの外壁面に接触する引掛部６５ａ〜６５ｅをさらに有することを特徴とするものである。この構成によれば、本体ケース１０内部へのパッキンＡ６０の押込みを防ぐことができる。
【００４８】
また、本実施の形態に係る防水型電源装置用ケース２は、コード挿通孔７３の内壁面には凹凸が形成されていることを特徴とするものである。また、本実施の形態に係る防水型電源装置用ケース２は、凹凸は、小内径部と、小内径部よりも内径が大きい大内径部と、がコード挿通孔７３の軸方向に交互に設けられることによって形成されていることを特徴とするものである。この構成によれば、コード挿通孔７３とコード３１との密着性が高まるため、防水型電源装置用ケース２の防水性を向上させることができるとともに、コード３１の引抜き又は押込みを抑制することができる。
【００４９】
また、本実施の形態に係る防水型電源装置用ケース２は、開口部を形成する筒状の開口端１０ａ、１０ｂを有し、電源装置３０を収容する中空の本体ケース１０と、開口部を覆って本体ケース１０に取り付けられたケース蓋Ａ４０及びケース蓋Ｂ５０と、本体ケース１０とケース蓋Ａ４０及びケース蓋Ｂ５０との間に配置されたパッキンＡ６０及びパッキンＢ８０と、を備え、パッキンＡ６０及びパッキンＢ８０は、開口端１０ａ、１０ｂ内に挿入される挿入部６２を備え開口部を塞ぐ閉塞面部６１と、閉塞面部６１の周囲に形成され、開口端１０ａ、１０ｂの全周に密着するフランジ部６３と、フランジ部６３の外周側から本体ケース１０側に突出して設けられ、開口端１０ａ、１０ｂの外壁面に接触する引掛部６５ａ〜６５ｅと、を有することを特徴とするものである。
【００５０】
この構成によれば、挿入部６２が設けられることにより、パッキンＡ６０及びパッキンＢ８０の所定の取付位置への取付けを補助することができる。したがって、パッキンＡ６０及びパッキンＢ８０の取付けなどの組立作業性を向上させることができる。また、挿入部６２が設けられることにより、本体ケース１０に対するパッキンＡ６０及びパッキンＢ８０の上下左右方向へのずれを防ぐことができる。また、引掛部６５ａ〜６５ｅが設けられていることにより、本体ケース１０内部へのパッキンＡ６０及びパッキンＢ８０の押込みを防ぐことができる。
【００５１】
その他の実施の形態．
本発明は、上記実施の形態に限らず種々の変形が可能である。
例えば、上記実施の形態では、押出成形により一体成形された本体ケース１０を例に挙げたが、本発明はこれに限られない。本体ケース１０は、電源装置３０を収容する中空部１２を有し、かつ防水性が確保できれば、複数の金属製の成型品を組み合わせて構成されていてもよい。
【００５２】
また、上記実施の形態では、四角筒状の本体部１１を有する本体ケース１０を例に挙げたが、本発明はこれに限られない。本体ケース１０の本体部１１の形状は、防水性又は他部品の収まりを考慮した上で適宜変更することができる。
【００５３】
また、上記実施の形態では、専用の電源装置３０を収容する防水型電源装置用ケース２を例に挙げたが、本発明はこれに限られない。防水型電源装置用ケース２は、既にパッケージされた非防水型の電源装置を収容できるようにしてもよい。その場合、本体ケース１０等の形状は、防水性及び組立性などに問題が生じない範囲で適宜変更することができる。
【００５４】
また、上記の実施の形態や変形例は、互いに組み合わせて実施することが可能である。
【符号の説明】
【００５５】
１  防水型電源装置、２  防水型電源装置用ケース、１０  本体ケース、１０ａ、１０ｂ  開口端、１１  本体部、１１ａ、１１ｂ、１１ｃ、１１ｄ  平板部、１２  中空部、１３  脚部組込部、１４  放熱フィン、１５ａ、１５ｂ、１５ｃ、１５ｄ  ビスホール、１６ａ、１６ｂ  Ｌ字部、３０  電源装置、３１  コード、３２  回路基板、３３  回路保持部、４０  ケース蓋Ａ、４１  貫通孔、４２  蓋取付孔、５０  ケース蓋Ｂ、６０  パッキンＡ、６１  閉塞面部、６２  挿入部、６３  フランジ部、６４  パッキン取付孔、６５ａ、６５ｂ、６５ｃ、６５ｄ、６５ｅ  引掛部、６６  挿入壁、６６ａ  凸部、６７ａ、６７ｂ  補助壁、６８  肉盗み部、７０  挿通部、７１  コード保持部、７２  ケース蓋嵌合部、７２ａ  筒状部、７２ｂ  押え部、７２ｃ  傾斜面、７３、７３ａ  コード挿通孔、７４  突出部、８０  パッキンＢ、９０  脚部、９１  差込部、９２  取付部、９３  保持部、９４  取付孔、９５  取付孔、９６  取付フック、１００  取付ビス、１０１  ねじ部、１０２  ねじ頭部、１０３  スペーサ部。
【図１】
2015015422.tif 000003
【図２】
2015015422.tif 000004
【図３】
2015015422.tif 000005
【図４】
2015015422.tif 000006
【図５】
2015015422.tif 000007
【図６】
2015015422.tif 000008
【図７】
2015015422.tif 000009
【図８】
2015015422.tif 000010
【図９】
2015015422.tif 000011
【図１０】
2015015422.tif 000012
【図１１】
2015015422.tif 000013
【図１２】
2015015422.tif 000014
【図１３】
2015015422.tif 000015
【図１４】
2015015422.tif 000016
【図１５】
2015015422.tif 000017